(57)【要約】【課題】  汎用性のある各種ディスプレイへの表示内容の秘匿性を担保できるようにすること。【解決手段】  液晶ディスプレイ１１０と、液晶ディスプレイ１１０の前面に取付可能であり液晶ディスプレイ１１０に表示する画像を通常時に閲覧不可と後述する認証後に閲覧可能とする液晶板１５０と、液晶ディスプレイ１１０と液晶板１５０との間に位置しており液晶ディスプレイ１１０に表示する画像を閲覧しにくくするためのスリットフィルム１３０と、液晶ディスプレイ１１０へ画像を表示したり，液晶板１５０への電圧の印加の有無を制御したり，液晶ディスプレイ１１０へ表示する画像にそれを隠蔽する隠蔽用画像を重畳したりするパーソナルコンピュータ本体１２０と、主として液晶ディスプレイ１１０側に対して画像の表示要求を行う可視化カード２００とを備える。【選択図】      図１
2005055586.tif 000002
【特許請求の範囲】
【請求項１】
表示装置と、
前記表示装置に画像を表示する際に当該表示装置から出射される出射光を選択的に透過させる可変透過手段と、
前記可変透過手段による前記出射光の透過／非透過を切り換える切換手段とを備えることを特徴とする表示システム。
【請求項２】
前記切換手段による切り換えの許可に先立って前記表示装置に表示する画像の閲覧希望者の認証を行う認証手段を備え、
前記切換手段は、前記認証手段によって前記閲覧希望者が予め定めている閲覧希望者であると認証がされた場合に前記出射光の透過／非透過の切り換えを行うことを特徴とする請求項１記載の表示システム。
【請求項３】
前記画像を隠蔽する隠蔽用画像を当該画像に対して重畳する画像処理手段と、
前記可変透過手段を透過した出射光のうち隠蔽用画像の出射光を除去するフィルタとを備えることを特徴とする請求項１または２記載の表示システム。
【請求項４】
隠蔽画像が描画されている被描画媒体と、
前記被描画媒体の隠蔽画像を顕在化する顕在化画像を前記画像に対して重畳する画像処理手段とを備えることを特徴とする請求項１または２記載の表示システム。
【請求項５】
前記可変透過手段は、
電圧の印加の有無に応じて前記出射光の透過／非透過を切り換える液晶シャッターと、
前記出射光を偏光可能な偏光素子と、
前記出射光を偏光可能な他の偏光素子および当該他の偏光素子と前記表示装置との間に入射光の偏向軸が４５°の角度で抜差可能な１／４波長板とのいずれかであることを特徴とする請求項１から４のいずれか記載の表示システム。
【請求項６】
請求項１から５のいずれか記載の表示システムと、
前記表示装置に表示されている画像が示す情報に基づいて入力した秘密コードの認証を行うコード認証手段と、
前記表示装置に実行すべき処理の選択を促す画像を表示する表示制御手段と、
前記表示制御手段によって表示された画像に従って選択された処理を実行する実行手段とを備えることを特徴とするセキュリティシステム。
【請求項７】
前記実行手段は、扉の開閉処理、扉の施錠およびその解除処理、現金支払／預入処理、通帳記入処理、振込処理のいずれかであることを特徴とする請求項６記載のセキュリティシステム。
【発明の詳細な説明】
【技術分野】
【０００１】
本発明は、表示システムおよびセキュリティシステムに関し、特に、予め許可している閲覧希望者だけに画像を閲覧させることが可能な表示システムおよびセキュリティシステムに関する。
【背景技術】
【０００２】
従来、たとえば特許文献１には、裸眼で見ると画面は真っ白で何も見えないが、特殊仕様の偏向フィルタを含む可視化媒体を用いると、その表示画面を見ることが出来る液晶パネル（以下、「特殊液晶パネル」と称する。）がある。特殊液晶パネルには、たとえば、株式会社IDKによって製造されている商品名「PPTディスプレイ(PictureProtect Technology)」がある。
【０００３】
ここで、特殊液晶ディスプレイは、裸眼で見ると画面の表示内容が見えないため、表示内容の秘匿性を担保できるという性質がある。しかし、このためだけに、特殊液晶ディスプレイを購入等すると、それまで使用していたディスプレイが無駄になることも考えられる。
【０００４】
そこで、本発明は、汎用性のある各種ディスプレイへの表示内容の秘匿性を担保できるようにすることを課題とする。
【０００５】
【特許文献１】特願２００２−２１２８５６
【発明の開示】
【課題を解決するための手段】
【０００６】
上記課題を解決するために、本発明の表示システムは、表示装置と、前記表示装置に画像を表示する際に当該表示装置から出射される出射光を選択的に透過させる可変透過手段と、前記可変透過手段による前記出射光の透過／非透過を切り換える切換手段とを備えることを特徴とする。
【０００７】
また、可変透過手段における出射光の透過は、時間的に選択してもよいし、領域的に選択してもよい。
【０００８】
なお、前記切換手段による切り換えの許可に先立って前記表示装置に表示する画像の閲覧希望者の認証を行う認証手段を備え、前記切換手段は、前記認証手段によって前記閲覧希望者が予め定めている閲覧希望者であると認証がされた場合に前記出射光の透過／非透過の切り換えを行うようにしてもよい。
【０００９】
また、前記画像を隠蔽する隠蔽用画像を当該画像に対して重畳する画像処理手段と、前記可変透過手段を透過した出射光のうち隠蔽用画像の出射光を除去するフィルタとを備えることも可能である。
【００１０】
あるいは、隠蔽画像が描画されている被描画媒体と、前記被描画媒体の隠蔽画像を顕在化する顕在化画像を前記画像に対して重畳する画像処理手段とを備えることも可能である。
【００１１】
前記可変透過手段は、電圧の印加の有無に応じて前記出射光の透過／非透過を切り換える液晶シャッターと、前記出射光を偏光可能な偏光素子と、前記出射光を偏光可能な他の偏光素子および当該他の偏光素子と前記表示装置との間に入射光の偏向軸が４５°の角度で抜差可能な１／４波長板とのいずれかとしている。
【００１２】
また、本発明のセキュリティシステムは、上記表示システムと、前記表示装置に表示されている画像が示す情報に基づいて入力した秘密コードの認証を行うコード認証手段と、前記表示装置に実行すべき処理の選択を促す画像を表示する表示制御手段と、前記表示制御手段によって表示された画像に従って選択された処理を実行する実行手段とを備えることを特徴とする。
【００１３】
前記実行手段は、少なくとも、扉の開閉処理、扉の施錠およびその解除処理、現金支払／預入処理、通帳記入処理、振込処理のいずれかとすることができる。
【実施例】
【００１４】
（実施例１）
図１は、本発明の実施例１の表示システムの模式的な構成図である。図１には、以下説明するパーソナルコンピュータ１００と、可視化カード２００とを示している。可視化カード２００は、表示システムの管理者側から、液晶ディスプレイ１１０に表示している画像の閲覧許可者に予め配布されている。
【００１５】
パーソナルコンピュータ１００は、表示装置であるところの液晶ディスプレイ１１０と、液晶ディスプレイ１１０の前面に取付可能であり液晶ディスプレイ１１０に表示している画像を通常時に閲覧不可とし後述する認証後に閲覧可能とする液晶シャッターとなる液晶板１５０と、液晶ディスプレイ１１０と液晶板１５０との間に位置しており液晶ディスプレイ１１０に表示する画像を閲覧しにくくするためのLCF(ライトコントロールフィルム）などのスリットフィルム１３０と、液晶ディスプレイ１１０へ画像を表示したり，液晶板１５０への電圧の印加の有無を制御したり，液晶ディスプレイ１１０へ表示したりする画像にそれを隠蔽する隠蔽用画像を重畳したりするパーソナルコンピュータ本体１２０とを備えている。
【００１６】
なお、表示装置は、液晶ディスプレイ１１０に限られず、プラズマディスプレイ、有機ＥＬ、ＣＲＴ等、汎用性のある各種表示媒体でよい。また、本実施例では、液晶板１５０として、ワムフィルム、ポリマーアッセンブルドおよびリキッドクリスタルからなるガラスを用いている。
【００１７】
可視化カード２００は、固有にＩＤ番号が割り当てられており、パーソナルコンピュータ本体１２０との間で通信を行い液晶板１５０への電圧の印加および停止を要求するＩＣ２１０と、液晶ディスプレイ１１０に表示されている画像のうち隠蔽用画像を除去するフィルタ２２０と、ＩＣ２１０およびフィルタ２２０を支持する支持部２３０とを備えている。
【００１８】
なお、可視化カード２００に代えて、少なくとも、フィルタ２２０を備えた可視化メガネ、可視化コンタクトレンズなどを用いてもよい。可視化メガネの場合には、周囲にいる人が可視化メガネ越しに液晶ディスプレイ１１０の表示内容を閲覧できないような構造とするとよい。具体的には、メガネレンズにおけるフィルタ２２０部分を小さくしたり、可視化メガネのつるの基端付近に金属等のガードを設けたりするとよい。また、可視化メガネ等にＩＣ２１０を備えない場合には、別途、ＩＣ２１０を備えたリモートコントローラ等を用意するとよい。なお、たとえば携帯電話機のように、携帯性に優れたものに、ＩＣ２１０を内蔵するようにしてもよい。
【００１９】
図２は、図１に示すパーソナルコンピュータ本体１２０およびＩＣ２１０の模式的な構成を示すブロック図である。図２に示すように、ＩＣ２１０は、可視化カード２００に固有に割り当てられているＩＤ番号が格納されているＩＤ番号メモリ２１１と、ＩＤ番号および後述するコマンドをパーソナルコンピュータ本体１２０に送信するためのＲＦＩＤ(Radio Frequency Identification)タグなどの無線手段２１２と、液晶板１５０に印加している電圧を停止するように命令するコマンドを作成するコマンド作成手段２１３と、コマンド作成手段２１３に対してコマンド作成を指示する指示ボタン２１４とを備えている。
【００２０】
なお、無線手段２１２は、電磁波によるRFIDタグ内のデータ読み出しには、400〜530KHzの電波を使用する電磁結合方式、120〜150KHzの電波を使用する電磁誘導方式および2.45GHzのマイクロ波を使用するマイクロ波方式のいずれを採用してもよい。
【００２１】
さらに、無線手段２１２は、赤外線通信，ブルートゥースなどの無線回線を利用したものとしてもよい。また、コマンド作成手段２１３には、隠蔽用画像の重畳を解除するように命令するコマンドや、液晶ディスプレイ１１０に表示している画像の停止を命令するコマンドや、パーソナルコンピュータ本体１２０本体の電源の切換を命令するコマンドなどもある。さらに、指示ボタン２１４は、これらのコマンド毎に対応するコマンドの作成を指示する指示ボタンを含む。
【００２２】
パーソナルコンピュータ本体１２０は、可視化カード２００に割り当てられているＩＤ番号を記憶しておくＩＤ番号メモリ１２１と、無線手段２１２との間で無線通信を行うことによって可視化カード２００に割り当てられているＩＤ番号を取得するための無線手段１２２と、無線手段１２２で受信したＩＤ番号とＩＤ番号メモリ１２１に記憶してあるＩＤ番号との認証を行う認証手段１２４と、無線手段１２２で受信したコマンドに付加されている命令の内容を解析するコマンド解析手段１２６と、認証手段１２４によってＩＤ番号が相互に一致していると認証された場合に液晶板１５０に電圧を印加するとともにコマンド解析手段１２６で解析されたコマンドが液晶板１５０に印加している電圧を停止するように命令するコマンドであるときに液晶板１５０への電圧の印加を停止する電圧制御手段１２３と、液晶ディスプレイ１１０への表示対象の画像に隠蔽用画像を重畳する画像処理手段１２５とを備えている。
【００２３】
つぎに、本実施例の表示システムの動作について説明する。まず、可視化カード２００に固有に割り当てられているＩＤ番号を、パーソナルコンピュータ本体１２０のＩＤ番号メモリ１２１に記憶しておく。また、電圧制御手段１２３の制御によって液晶板１５０に電圧を印加しないでおく。さらに、画像処理手段１２５によって、表示対象の画像に対して隠蔽用画像を重畳してから、液晶ディスプレイ１１０へ表示しておく。なお、液晶ディスプレイ１１０への画像の表示は、無線手段２１２，１２２相互で無線回線が接続されたことをトリガとして行うようにしてもよい。
【００２４】
この際、液晶ディスプレイ１１０に表示されている画像は、隠蔽用画像が重畳されているので、そのまま閲覧したのでは内容を理解することができないものになる。また、そもそも液晶板１５０に電圧を印加していないため、液晶ディスプレイから出射される出射光は、液晶板１５０によって遮られ、液晶板１５０の前面側に透過されず、液晶ディスプレイ１１０の表示画像を閲覧することができない。
【００２５】
なお、可視化カード２００のフィルタ２２０に隠蔽画像を描画しておき、画像処理手段１２５をフィルタ２００の隠蔽画像を顕在化する顕在化画像を表示対象の画像に対して重畳することによって、液晶ディスプレイ１１０に表示されている画像の内容を理解することができないものとしてもよい。
【００２６】
したがって、表示対象の画像を実際に閲覧するには、液晶板１５０への電圧の印加と、隠蔽用画像の除去という二重の工程を経なければならない。このため、表示対象の画像の内容の秘匿性、およびセキュリティ性が高い。
【００２７】
その後、液晶ディスプレイ１１０に実際に表示されている画像の閲覧希望者が、液晶ディスプレイ１１０近傍に行くと、パーソナルコンピュータ本体１２０では、無線手段１２２によって、たとえばＲＦＩＤ技術を用いて無線手段２１２との間で無線回線が接続される。そして、この無線回線を通じて、可視化カード２００に割り当てられているＩＤ番号の送信要求を行う。
【００２８】
すると、ＩＣ２１０では、ＩＤ番号メモリ２１１に格納されているＩＤ番号を読み出して、無線手段２１２へ出力する。無線手段２１２は、ＩＤ番号メモリ２１１から出力されたＩＤ番号を、無線回線を通じてパーソナルコンピュータ本体１２０へ送信する。
【００２９】
パーソナルコンピュータ本体１２０では、無線手段１２２によって、ＩＣ２１０側から送信されてきたＩＤ番号を受信して、認証手段１２２へ出力する。認証手段１２２は、無線手段１２２から出力されたＩＤ番号の入力をトリガとして、ＩＤ番号メモリ１２１に記憶されているＩＤ番号を読み出す。
【００３０】
つづいて、認証手段１２２は、無線手段１２２で受信したＩＤ番号とＩＤ番号メモリ１２１から読み出されたＩＤ番号との認証を行い、ＩＤ番号が相互に一致していると認証した場合に、電圧制御手段１２３に対して、液晶板１５０に電圧を印加させる制御信号を出力する。
【００３１】
ここでは、可視化カード２００に固有に割り当てられているＩＤ番号を、パーソナルコンピュータ本体１２０のＩＤ番号メモリ１２１に記憶してあるので、ＩＤ番号が相互に一致していると認証されることになる。
【００３２】
一方、認証手段１２２は、ＩＤ番号が相互に一致していると認証しなかった場合には、不正カードの使用者が、閲覧希望をしている可能性が高いため、引き続き、液晶板１５０へ電圧を印加しないようにすべく、電圧制御手段１２３への制御信号の出力は行わない。
【００３３】
また、電圧制御手段１２３は、認証手段１２４から出力された制御信号を入力すると、液晶板１５０に電圧を印加する。このため、液晶板１５０は、液晶ディスプレイ１１０から出射される出射光を透過する。なお、液晶板１５０に対して、一部の領域に電圧を印加してもよいし、全部の領域に電圧を印加してもよい。
【００３４】
たとえば、液晶ディスプレイ１１０に表示している画像の一部については、誰もが閲覧可能な状態としてもよい場合には、当該一部に対応する液晶板１５０の領域へ電圧を印加するとともに、当該一部に対応する画像に重畳されている遮蔽用画像を除去すればよい。
【００３５】
さらに、液晶ディスプレイ１１０に表示されている実際の画像は、隠蔽用画像が重畳されているものであるので、直接液晶ディスプレイ１１０側を見ても、本来の表示画像の内容を理解することはできない。
【００３６】
そこで、可視化カード２００の使用者が、可視化カード２００の支持部２３０を持って、フィルタ２２０を介して液晶ディスプレイ１１０側を見ると、フィルタ２２０によって、液晶ディスプレイ１１０に表示されている画像のうち、隠蔽用画像が除去されることになる。よって、可視化カード２００の使用者だけが、本来の表示画像の内容を取得できるようになる。
【００３７】
また、液晶板１５０と液晶ディスプレイ１１０との間には、スリットフィルム１３０を備えているため、液晶ディスプレイ１１０正面に位置していないと、液晶ディスプレイ１１０に表示されている画像が見にくくなる。したがって、可視化カード２００のフィルタ２２０越しに液晶ディスプレイ１１０の表示内容が、のぞき込まれにくくなる。
【００３８】
その後、可視化カード２００の使用者が、液晶ディスプレイ１１０の表示内容の閲覧を終了しようとする場合には、指示ボタン２１４を押下する。すると、コマンド作成手段２１３に対して、コマンド作成命令が出力される。
【００３９】
コマンド作成手段２１３は、コマンド作成命令を入力すると、液晶板１５０に印加している電圧を停止するように命令するコマンドを作成して、無線手段２１２へ出力する。無線手段２１２は、コマンド作成手段２１３から出力されたコマンドを入力すると、パーソナルコンピュータ本体１２０側に対して、無線回線を通じて、そのコマンドを送信する。
【００４０】
パーソナルコンピュータ本体１２０では、無線手段１２２によって、ＩＣ２１０側から送信されてきたコマンドを受信して、コマンド解析手段１２６へ出力する。コマンド解析手段１２６は、無線手段１２２から出力されたコマンドを入力すると、そのコマンドに付加されている命令の内容を解析し、解析の結果、無線手段１２２から出力されたコマンドが液晶板１５０に印加している電圧を停止するように命令するコマンドであるときに、電圧制御手段１２３に対して液晶板１５０への電圧の印加を停止するよう命令する。
【００４１】
電圧制御手段１２３は、コマンド解析手段１２６からの命令に従って、液晶板１５０への電圧の印加を停止する。このため、再び、液晶ディスプレイ１１０に表示されている画像の閲覧ができなくなる。
【００４２】
なお、ＩＣ２１０からパーソナルコンピュータ本体１２０へ送信されるコマンドには、たとえば画像処理手段１２５に対して、隠蔽用画像の重畳を解除するように命令するコマンドや、液晶ディスプレイ１１０に表示している画像の停止を命令するコマンドや、パーソナルコンピュータ本体１２０本体の電源の切換を命令するコマンドなどを用意してもよい。この場合、たとえば可視化カード２１０に、各コマンドの作成を指示する指示ボタンを設けるようにすればよい。
【００４３】
以上説明したように、本実施例の表示システムによると、液晶板１５０を液晶シャッターとして機能させることによって、液晶ディスプレイ１１０に表示されている画像の閲覧／非閲覧を制御することができる。
【００４４】
（実施例２）
図３は、本発明の実施例２の表示装置およびこの周辺の分解斜視図である。図３には、図１に示した液晶ディスプレイ１１０，スリットフィルム１３０，液晶板１５０に加えて、液晶板１５０の前面に配置したタッチパネル１６０を示している。タッチパネル１６０は、ＩＣ２１０のコマンド作成手段２１３および指示ボタン２１４に代えて、またはＩＣ２１０のコマンド作成手段２１３および指示ボタン２１４とともに備えたものであり、パーソナルコンピュータ本体１２０と電気的に接続されている。なお、図３において、図１に示した部分と同様の部分には同一符号を付している。
【００４５】
パーソナルコンピュータ本体１２０では、液晶ディスプレイ１１０に画像を表示するのに先立ち、たとえば「表示終了」等の文字を示す画像を、遮蔽用画像が重畳されている画像に、画像処理手段１２５によるスプライト制御等の処理によって付記する。可視化カード２００の使用者が、タッチパネル１６０における「表示終了」等の文字の表示領域に対応する領域をタッチすると、パーソナルコンピュータ本体１２０では、液晶板１５０への電圧の印加を停止する。
【００４６】
このため、可視化カード２００の使用者が、タッチパネル１６０における、「表示終了」等の文字の表示領域に対応する領域をタッチすると、たとえばタッチパネル１６０の当該領域からパーソナルコンピュータ本体１２０側へ電流が流れるようにする。また、パーソナルコンピュータ本体１２０で、たとえばタッチパネル１６０における電流の発生元を解析できるようにする。こうして、パーソナルコンピュータ本体１２０で、タッチパネル１６０における、「表示終了」等の文字の表示領域に対応する領域がタッチされたことを判定すると、電圧制御手段１２３によって、液晶板１５０への電圧の印加を停止する。
【００４７】
なお、本実施例では、タッチパネル１６０の使用態様を、液晶板１５０に印加している電圧を停止するように命令するコマンドに対応させて説明したが、タッチパネル１６０の使用態様は、これに限定されず、既述の各種コマンドに対応させたものにも適用できる。また、可視化カード２００に割り当てられているＩＤ番号もタッチパネル１６０を通じて入力するようにしてもよい。
【００４８】
また、無線によるＩＤ番号の認証に代えて、タッチパネル１６０からの入力で認証を行ってもよい。この場合には、予めたとえばタッチパネル１６０本体に適当な矩形を複数描いておき（たとえば３行４列の矩形）、各矩形内をタッチしたときにそのタッチの手順が予め設定した手順と一致するか否かを判定することを上記認証に代えて行えばよい。この場合には、可視化カード２００にＩＣ２１０を搭載することが不要になるし、さらに遮蔽用画像を重畳しないようにすれば可視化カード２００そのものが不要になる。
【００４９】
（実施例３）
図４は、本発明の実施例３の表示装置およびこの周辺の分解斜視図である。図４には、図１に示した液晶ディスプレイ１１０，スリットフィルム１３０に加えて、偏光素子であるところの偏光板１７０と偏光板１８０とを示している。なお、図４において、図１に示した部分と同様の部分には同一符号を付している。
【００５０】
本実施例では、液晶板１５０に代えて、偏光板１７０および偏光板１８０を備えるようにしている。偏光板１７０，１８０は、通常時には、互いのスリットが直交するように配置している。
【００５１】
そして、可視化カード２００の使用者に対して、液晶ディスプレイ１１０に表示している画像を閲覧可能とする場合には、認証手段１２４でＩＤ番号相互の認証がとれたことを条件として、偏光板１７０，１８０をたとえば相互に回転させて、互いのスリットの直交状態を解除する。
【００５２】
こうすると、液晶ディスプレイ１１０からの出射光が、偏光板１７０，１８０を透過する。よって、実施例１で説明した原理と同様に、液晶ディスプレイ１１０に表示されている画像の閲覧／非閲覧を制御することができるし、液晶板１５０を用いることに起因する、通常時のランニングコストを抑制することができる。
【００５３】
なお、偏光板１７０，１８０は、回転だけではなく、相対的に上下または左右方向等にずらすことによって、液晶ディスプレイ１１０に表示されている画像の閲覧可能としてもよい。
【００５４】
また、偏光板１７０，１８０の相互の回転に代えて、１／４波長板を用いることによっても、同様の効果が得られる。すなわち、偏光板１７０，１８０の間に、たとえば入射光の偏向軸が４５°の角度で１／４波長板を挿入するとのように、液晶ディスプレイ１１０からの出射光が、偏光板１７０，１８０を透過させることが可能な媒体を用いてもよい。
【００５５】
１／４波長板は、閲覧希望者側で所有していてもよいし、偏光板１７０，１８０等と一体で収容するようにしてもよい。
【００５６】
この手法によると、偏光板１７０，１８０の相互の回転の場合に奏する効果に加えて、液晶ディスプレイ１１０に表示されている画像の一部だけを、誰もが閲覧可能な状態とすることができるという効果が得られる。
【００５７】
なお、本実施例では、偏光素子として、偏光板１７０，１８０を用いる場合を例に説明したが、たとえば、位相板を用いるようにしてもよい。また、表示装置として液晶ディスプレイ１１０を用いた場合には、偏光板等は一枚だけでもその偏光板等のスリットが所定角度となる状態で液晶ディスプレイ１１０の前に設ければ、画像を非閲覧とすることができるので、偏光板１７０，１８０という二枚が必要というわけではない。
【００５８】
さらに、本実施例で説明した手法と実施例１や実施例２で説明した手法とを組み合わせることによって、更に画像の閲覧までの手順を増やして、画像が示す情報の秘匿性を高めるようにしてもよい。この場合には、たとえば液晶ディスプレイ１１０、偏光板１７０，１８０、液晶板１５０というように配置し、さらに液晶板１５０の前にタッチパネル１６０を配置するようにすればよい。
【００５９】
また、偏光板１７０，１８０は、それぞれスリット相互が、偏光板１７０，１８０本体の面方向に対して所定角度θで平行になるように形成したものでもよいし、隣接するスリットが所定角度θと所定角度（１８０°−θ）とに交互に、つまりスリット長手方向に対する断面で、隣接する一対のスリットが「ハの字」になるように形成したものでよい。
【００６０】
（実施例４）
図５は、本発明の実施例４の表示システムのロッカー装置１０への適用例を示す図である。ロッカー装置１０は、図５に示すように、たとえば２９個のロッカー１１と右端列中央に設けられている、表示システムを含む制御部１３とを備える。各ロッカー１１には、それぞれの扉に錠をかける開閉部１５が設けられている。
【００６１】
図６は、図５に示す制御部１３の拡大図である。制御部１３は、液晶ディスプレイ１１０，スリットフィルタ１３０および液晶板１５０に相当する液晶画面２５を有する。ここには、預入・取出のいずれかの選択を促すことを示す画像と、使用を希望するロッカー１１の番号の選択を促すことを示す画像と、ユーザに割り当てられている固有の暗証番号の入力を促すことを示す画像とを示している。
【００６２】
液晶画面２５は、ロッカー装置１０の使用方法などを表示するための情報表示部２７と、タッチパネル１６０に相当するタッチパネル部２９とを有している。この構成に代えて、実施例２と同様に、液晶画面２５前面すべてにタッチパネルを備えてもよい。
【００６３】
この場合、液晶画面２５の一部をロッカー装置１０の使用方法などを表示するための情報表示部とし、かつこの情報表示部を常に肉眼で見える構成を採用するとよい。また、制御部１３には、パーソナルコンピュータ本体１２０に相当する部分が内蔵されている。
【００６４】
次に、図５に示すロッカー装置１０の動作について説明する。ロッカー装置１０を使用する権限が与えられているユーザには、実施例１等と同様に、ロッカー装置１０の管理者から予め可視化カード２００が配布されている。タッチパネル部２９からの情報の入力が制御部１３側へ出力されないようにしておく。さらに、液晶板１５０に相当する部分に対して電圧を印加しないでおく。さらに、ユーザにパスワード（秘密コード）を割り当てておく。
【００６５】
ユーザが、ロッカー装置１０のロッカー１１に荷物を収納しようとする場合、ユーザは、可視化カード２００を制御部１３にかざす。すると、制御部１３側と可視化カード２００とが無線接続される。これを契機に、液晶画面２５の液晶板１５０に相当する部分へ電圧を印加する。
【００６６】
そして、ユーザは、可視化カード２００のフィルタ２２０を通して、液晶画面２５の情報表示部２７に表示されている画像を見ながら、その画像の指示に従って、タッチパネル部２９により、使用を希望するロッカー１１の番号、ユーザに割り当てられているパスワードなどの情報を入力する。
【００６７】
入力されたパスワードが正しい場合、制御部１３では、ユーザが使用を希望するロッカー１１の開閉部１５に対して、その扉を開くようにするために鍵をかける信号を送る。また、ロッカー１１に収納した荷物を取り出そうとする場合に、ユーザの操作が少なくて済むように、一対の登録番号を作成して、一方を制御部１３側で記憶しておき、他方を可視化カード２００に送信する。可視化カード２００では、登録番号を受信すると、これを図示しないメモリに記憶する。
【００６８】
ユーザは、扉が開いたロッカー１１に荷物を収納した後、ロッカー１１の扉を閉める指令をタッチパネル部２９により入力する。この動作の終了をトリガとして、液晶板１５０に対しての電圧の印加を停止する。また、タッチパネル部２９からの情報の入力も制御部１３側へ出力されないようにする。
【００６９】
ユーザが、ロッカー１１に収納した荷物を取り出そうとする場合には、荷物をロッカー１１に収納したときと同様に、可視化カード２００を制御部１３にかざす。すると、可視化カード２００から制御部１３に対して登録番号が送信される。その後、制御部１３で、登録番号相互の認証を行う。ここでは、登録番号が相互に一致するため、ユーザがロッカー１１を使用していることと判定され、液晶画面２５の液晶板１５０に相当する部分へ電圧を印加する。
【００７０】
ユーザは、可視化カード２００のフィルタ２２０を通して、閲覧可能となった液晶画面２５の情報表示部２７に表示されている画像を見ながら、その画像の指示に従って、タッチパネル部２９から、荷物が収納されているロッカーの番号、ユーザのパスワードなどの情報を入力する。
【００７１】
入力されたパスワードが、正しい場合、制御部１３は、荷物が収納されているロッカーにその扉を開けられるようにするために開閉部１５に対して、鍵を解除する信号を送る。このため、ユーザは、扉が開いたロッカーから収納していた荷物を取り出すことが出来る。この動作の終了をトリガとして、液晶板１５０に対しての電圧の印加を停止する。また、タッチパネル部２９からの情報の入力も制御部１３側へ出力されないようにする。
【００７２】
このように、本実施例のロッカー装置１０は、少なくとも、三段階のロックを課している。すなわち、液晶板による液晶画面２５の表示画像の閲覧を行えないというロック（第一段階のロック）、可視化カード２００のフィルタ２２０を用いないと本来の表示対象の画像が閲覧できないというロック（第二段階のロック）、パスワードによるロック（第三段階のロック）を課している。
【００７３】
なお、これらの第一〜第三段階のロックに加え、または第三段階のロックにおけるパスワードの登録に代えて、文字化することが困難で、主観的・視覚的なユーザの昔の記憶に基づく情報により本人を特定するデータリーク防止ソフトを使用することも可能である。
【００７４】
このソフトを使用すれば、ユーザ以外の人間が類推することが困難な、画像選択による複数の質問（例、1)昔飼っていたペットの写真、2)好きな花、3)好きな漢字）を登録しておいて、これらの質問が全て正しく応えられない限り、ロッカーの扉を開くための情報を入力する画面が有効にならないようにすることも出来る（第四段階のロック）。
【００７５】
（実施例５）
図７は、本発明の実施例５の表示システムの現金自動支払預入装置３１への適用例を示す図である。この現金自動支払預入装置３１は、図７に示すように、札取出し口３３と、通帳挿入口３７と、硬貨取出し口３５と、液晶画面２５とを有する。なお、図７に示した部分と同様の部分には同一符号を付している。
【００７６】
図８は、図７に示す液晶画面２５の拡大図である。ここでは、「お届入れ」「お引出し」「お振込み」「残高照合」を選択することを促す画像を表示している。なお、図８に示した部分と同様の部分には同一符号を付している。
【００７７】
次に、図７の現金自動支払預入装置３１の動作を説明する。実施例４の場合と同様に、タッチパネル部２９からの情報の入力が現金自動支払預入装置３１に内蔵されている制御部へ出力されないようにしておく。さらに、液晶板１５０に相当する部分に対して電圧を印加しないでおく。さらに、ユーザに暗証番号（秘密コード）を割り当てておく。
【００７８】
そして、実施例４と同様に、ユーザが銀行口座の真のユーザであると判明されると、液晶板１５０に相当する部分に対して電圧を印加して、液晶画面２５の表示内容を閲覧可能とする。
【００７９】
ユーザは、可視化カード２００のフィルタ２２０を通して、液晶画面２５の情報表示部２７の表示内容を見ながら、その指示に従って、タッチパネル部２９により、引き下ろしたい現金の額、ユーザの暗証番号（秘密コード）などの情報を入力する。
【００８０】
暗証番号が、正しい場合、現金自動支払預入装置３１は、ユーザが希望する額の現金を札取出し口３３と硬貨取出し口３５とに排出させる。ユーザが、希望する額の現金を札取出し口３３と硬貨取出し口３５から取出すと、現金自動支払預入装置３１は、液晶板１５０に相当する部分に対する電圧の印加を再開する。
【００８１】
ユーザが現金自動支払預入装置３１への現金の預入、通帳記入、振込などの他の操作時の動作も同様である。
【００８２】
以上、本発明の表示システムの応用例について、ロッカー装置と現金自動支払預入装置とを例にして説明したが、例えば、実施例１のロッカー装置のロッカーの扉を、ビルまたは部屋に入るためのゲートまたはドアにより置換すれば、ビルに入退出する人間の管理システム、薬品・医薬が保管されている部屋への入出者の管理システム、貴重本が保管されている部屋への入出者の管理システムなどにも、本発明のセキュリティシステムを使用することができる。
【００８３】
その他、本発明のセキュリティシステムは、貴重品ボックス、マンションにおける宅配品保管ボックス、鍵保管システムなどにも使用することができる。
【図面の簡単な説明】
【００８４】
【図１】本発明の実施例１の表示システムの模式的な構成図である。
【図２】図１に示すパーソナルコンピュータ本体１２０およびＩＣ２１０の模式的な構成を示すブロック図である。
【図３】本発明の実施例２の表示装置およびこの周辺の分解斜視図である。
【図４】本発明の実施例３の表示装置およびこの周辺の分解斜視図である。
【図５】本発明の実施例４の表示システムのロッカー装置１０への適用例を示す図である。
【図６】図５に示す制御部１３の拡大図である。
【図７】本発明の実施例５の表示システムの現金自動支払預入装置３１への適用例を示す図である。
【図８】図７に示す液晶画面２５の拡大図である。
【符号の説明】
【００８５】
１０  ロッカー装置
１１  ロッカー
１３  制御部
１３  開閉部
２５  液晶画面
２７  情報表示部
２９  タッチパネル部
３１  現金自動支払預入装置
３３  札取出し口
３５  硬貨取出し口
３７  通帳挿入口
１００  パーソナルコンピュータ
１１０  液晶ディスプレイ
１２０  パーソナルコンピュータ本体
１３０  スリットフィルム
１５０  液晶板
１６０  タッチパネル
１７０，１８０  偏光板
２００  可視化カード
２１０  ＩＣ
２２０  フィルタ
２３０  支持部
２１１  ＩＤ番号メモリ
２１２  無線手段
２１３  コマンド作成手段
２１４  指示ボタン
１２１  ＩＤ番号メモリ
１２２  無線手段
１２４  認証手段
１２６  コマンド解析手段
１２３  電圧制御手段
１２５  画像処理手段
【図１】
2005055586.tif 000003
【図２】
2005055586.tif 000004
【図３】
2005055586.tif 000005
【図４】
2005055586.tif 000006
【図５】
2005055586.tif 000007
【図６】
2005055586.tif 000008
【図７】
2005055586.tif 000009
【図８】
2005055586.tif 000010